(57)【要約】【課題】顧客の購入実績を指定された期間で集計し、顧客に集計された購入実績のデータを顧客の記憶媒体に記憶させることができる商品管理装置、ＰＯＳ端末及びその制御プログラムを提供する。【解決手段】商品管理装置は、顧客毎の商品購入実績データを記憶する記憶手段と、ＰＯＳ端末の特定顧客の前記商品購入実績データの集計要求を受信する集計要求受信手段と、前記要求受信手段により指定された特定顧客の商品購入実績を前記商品購入実績データから検索し、収集する特定顧客データ収集手段と、前記特定顧客データ収集手段より収集された商品購入実績を指定された期間で編集する期間編集手段と、前記期間編集手段により得られた商品購入実績データをＰＯＳ端末へ送信する編集データ送信手段とを備える。【選択図】図４
2012053718.tif 000002
【特許請求の範囲】
【請求項１】
顧客毎の商品購入実績データを記憶する記憶手段と、
ＰＯＳ端末の特定顧客の前記商品購入実績データの集計要求を受信する集計要求受信手段と、
前記要求受信手段により指定された特定顧客の商品購入実績を前記商品購入実績データから検索し、収集する特定顧客データ収集手段と、
前記特定顧客データ収集手段より収集された商品購入実績を指定された期間で編集する期間編集手段と、
前記期間編集手段により得られた商品購入実績データをＰＯＳ端末へ送信する編集データ送信手段と、
を備えることを特徴とする商品管理装置。
【請求項２】
顧客の商品購入実績の集計要求を商品管理装置へ送信する集計要求送信手段と、
前記商品管理装置から当該顧客の商品購入実績データを受信する実績データ受信手段と、
前記実績データ受信手段より受信した商品購入実績データを記憶媒体に記憶させる実績データ記憶手段と、
を備えることを特徴とするＰＯＳ端末。
【請求項３】
前記集計要求送信手段により送信される内容は、少なくとも会員番号と編集期間であることをすることを特徴とする請求項２のＰＯＳ端末。
【請求項４】
前記記憶媒体は、ＵＳＢメモリであることを特徴とする請求項２のＰＯＳ端末。
【請求項５】
商品管理装置の制御プログラムであって、
商品管理装置に、
ＰＯＳ端末の特定顧客の前記商品購入実績データの集計要求を受信する機能と、
前記要求受信手段により指定された特定顧客の商品購入実績を前記商品購入実績データから検索し、収集する機能と、
前記特定顧客データ収集手段より検索された商品購入実績を指定された期間で編集する機能と、
前記期間編集手段により得られた商品購入実績データをＰＯＳ端末へ送信する機能と、
を実現させるための制御プログラム。
【請求項６】
ＰＯＳ端末の制御プログラムであって、
ＰＯＳ端末に、
顧客の商品購入実績の集計要求を商品管理装置へ送信する機能と、
前記商品管理装置から当該顧客の商品購入実績データを受信する機能と、
前記実績データ受信手段より受信した商品購入実績データを記憶媒体に記憶させる機能と、
を実現させるための制御プログラム。
【発明の詳細な説明】
【技術分野】
【０００１】
本発明は、商品管理装置、ＰＯＳ端末及びその制御プログラムに関する。
【背景技術】
【０００２】
電子メールにて１取引分のレシートの内容を送信する装置が知られている。
【先行技術文献】
【特許文献】
【０００３】
【特許文献１】特開２００５−２６６９６２公報
【発明の概要】
【発明が解決しようとする課題】
【０００４】
１取引分のレシートを電子メールで貰い家計簿を記載することがある。
【０００５】
この場合、１取引分のデータしか分からず家計簿に記載する効率が悪くなる可能性がある。
【０００６】
本発明の実施形態の目的は、顧客の購入実績を指定された期間で集計し、顧客に集計された購入実績のデータを顧客の記憶媒体に記憶させることができる商品管理装置、ＰＯＳ端末及びその制御プログラムを提供することである。
【課題を解決するための手段】
【０００７】
本発明の実施形態の商品管理装置は、顧客毎の商品購入実績データを記憶する記憶手段と、ＰＯＳ端末の特定顧客の前記商品購入実績データの集計要求を受信する集計要求受信手段と、前記要求受信手段により指定された特定顧客の商品購入実績を前記商品購入実績データから検索し、収集する特定顧客データ収集手段と、前記特定顧客データ収集手段より収集された商品購入実績を指定された期間で編集する期間編集手段と、前記期間編集手段により得られた商品購入実績データをＰＯＳ端末へ送信する編集データ送信手段と、を備える。
【図面の簡単な説明】
【０００８】
【図１】一実施形態におけるシステム構成図。
【図２】同実施形態におけるＰＯＳ端末の制御回路を示す模式図。
【図３】同実施形態における商品管理装置の制御回路を示す模式図。
【図４】同実施形態におけるＰＯＳ端末の外観図。
【図５】同実施形態における会員テーブルの一例を示す模式図。
【図６】同実施形態においてＰＯＳ端末のＣＰＵが実行する処理の流れ図。
【図７】同実施形態において商品管理装置のＣＰＵが実行する処理の流れ図。
【図８】第２の実施形態における期間指定画面の一例を示す図。
【発明を実施するための形態】
【０００９】
以下、本発明を実施するための一実施形態について図面を参照しながら説明する。  
【００１０】
図１は、ＰＯＳ端末１を備えるネットワークシステムの構成図である。このシステムは、複数のＰＯＳ端末１と商品管理装置であるストアコントローラ２とを、相互通信可能に接続して構成されている。
【００１１】
ＰＯＳ端末１の制御回路の模式図を図２に示している。ＰＯＳ端末１は、内部に制御の中枢として機能するＣＰＵ２０を備えている。そして、ＣＰＵ２０に、制御プログラム等の固定的データを記憶するＲＯＭ２１、処理場面に応じて各種の作業用記憶領域を形成するＲＡＭ２２、各種のアプリケーションプログラムやデータベースを記憶するＨＤＤ（ハードディスクドライブ）２３、ディスプレイ２４、ドロワ２５、レシート発行手段であるプリンタ２６、スキャナ２７、ＵＳＢポート２８、ストアコントローラ２と通信するための通信Ｉ／Ｆ２９がバスライン３０で接続されている。
【００１２】
図３は、ストアコントローラ２の制御回路の模式図である。ストアコントローラ２は、内部に制御の中枢として機能するＣＰＵ４０を備えている。そして、ＣＰＵ４０に、制御プログラム等の固定的データを記憶するＲＯＭ４１、処理場面に応じて各種の作業用記憶領域を形成するＲＡＭ４２、各種のアプリケーションプログラムやデータベースを記憶するＨＤＤ（ハードディスクドライブ）４３、ディスプレイ４４、キーボード４５、スピーカ４６、マウス４７、ＰＯＳ端末１と通信を行うための通信Ｉ／Ｆ４８がバスライン４９で接続されている。
【００１３】
図４は、ＰＯＳ端末１の外観図である。ＰＯＳ端末１の客面側に顧客が用意したＵＳＢメモリを挿入するためのＵＳＢポート２８がある。ＰＯＳ端末１はこのＵＳＢポート２８に挿入されたＵＳＢメモリにストアコントローラ２から受信した商品購入実績データを転送する。なお、このＵＳＢポート２８は客面側ではなくキャッシャ側に設置されていてもよい。また、ＵＳＢポート２８に限定するものではなく、各種記憶媒体に合わせたポートを設置することも可能である。
【００１４】
図５は、会員テーブルの一例を示す模式図である。会員テーブル５０は会員番号に対応させて、購買実績データの集計期間を記憶している。この集計期間は顧客が会員登録を行うときに設定される。ＰＯＳ端末１からストアコントローラ２へこの会員テーブル５０に記憶された会員番号と集計期間の情報を送信することによりストアコントローラ２は特定の顧客の購買実績データから特定の期間の購買実績データを算出する。
【００１５】
図６は、ＰＯＳ端末１のＣＰＵ２０が実行する処理の流れ図である。先ず、顧客からキャッシャーに購買実績データの要求があった場合（ＳＴ１００のＹＥＳ）は、ＰＯＳ端末１に設置されている購買実績データの要求用のキー（図示せず）を操作する。このとき顧客の会員情報の登録の有無を確認し、まだ会員情報が登録されていなかった場合（ＳＴ１０１のＮＯ）は、顧客から会員カードを預かり会員登録を行う。既に会員登録されている場合（ＳＴ１０１のＹＥＳ）は、会員テーブル５０に記憶されている該当会員の情報を含んだ購買実績データの要求をストアコントローラ２に対し送信する。
【００１６】
その後、ストアコントローラ２からの応答により、該会員の購買実績データがあった場合（ＳＴ１０３のＹＥＳ）は、ＰＯＳ端末１のＵＳＢポート２８にＵＳＢメモリが接続されているかを判断し、ＵＳＢメモリが接続されている場合（ＳＴ１０４のＹＥＳ）は、ストアコントローラ２から受信した該会員の購買実績データをＵＳＢメモリへ転送する。該会員の購買実績データがなかった場合（ＳＴ１０３のＮＯ）は、エラー処理を行う。
【００１７】
図７は、ストアコントローラ２ののＣＰＵ２０が実行する処理の流れ図である。先ず、ＰＯＳ端末１から購買実績データの要求があった場合（ＳＴ２００のＹＥＳ）は、購買実績データの要求データに含まれた会員番号の購買実績データ実績がストアコントローラ２に記憶されているか否かの確認を行い、当該会員の購買実績データがある場合（ＳＴ２０１のＹＥＳ）は当該会員の購買実績データ収集する（ＳＴ２０２）。
【００１８】
収集した当該会員の購買実績データを要求データで指定された集計期間で編集を行う。その後、編集が終了したならば、その情報をＰＯＳ端末１へ送信する。ストアコントローラ２に当該会員の購買実績データがなかった場合（ＳＴ２０１のＮＯ）は、エラー処理を行い、ＰＯＳ端末１へ当該会員の購買実績データがなかった旨を送信する。
【００１９】
図８は、第２の実施形態におけるＰＯＳ端末１の客面表示器のディスプレイ２４に表示される期間指定画面を示す図である。ＰＯＳ端末１の客面表示器のディスプレイ２４に顧客に購買実績データ期間を選択できる内容を表示する。例えば１週間が選択された場合は、ストアコントローラ２にこの指定された期間と会員番号を送信することにより、該当会員の購買実績データをこの指定された期間で編集する。
【００２０】
このように、顧客の購入実績データを指定された期間で集計し、顧客に集計された購入実績データを顧客のＵＳＢメモリに記憶させることができる。これにより顧客が自身の購入実績を管理する作業性が大幅に向上する。
【００２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２２】
１…ＰＯＳ端末、２…ストアコントローラ、２４…ディスプレイ、２７…スキャナ、ＵＳＢポート２８
【図１】
2012053718.tif 000003
【図２】
2012053718.tif 000004
【図３】
2012053718.tif 000005
【図４】
2012053718.tif 000006
【図５】
2012053718.tif 000007
【図６】
2012053718.tif 000008
【図７】
2012053718.tif 000009
【図８】
2012053718.tif 000010